(57)【要約】【課題】照射対象物に正確な強度にて紫外光を照射することが容易な紫外光照射装置を提供すること。【解決手段】前板（１１ａ）と前板の背面下部に接続された底板（１１ｂ）とを有する引き出し（１１）を備える筐体（１２）、筐体の内部上方に配設された紫外光発生手段（２１）、および上記引き出しの底板上に設置され、引き出しを閉じた状態にて紫外光発生手段の下方に配置される、紫外光の照射対象物を支持する昇降装置（３１）を備える紫外光照射装置であって、上記の引き出しの前板を貫通して上記昇降装置に接続している昇降操作手段（５１）を更に備えることを特徴とする紫外光照射装置。【選択図】図１
2012148248.tif 000002
【特許請求の範囲】
【請求項１】
前板と該前板の背面下部に接続された底板とを有する引き出しを備える筐体、該筐体の内部上方に配設された紫外光発生手段、および上記引き出しの底板上に設置され、引き出しを閉じた状態にて紫外光発生手段の下方に配置される、紫外光の照射対象物を支持する昇降装置を備える紫外光照射装置であって、
上記の引き出しの前板を貫通して上記昇降装置に接続している昇降操作手段を更に備えることを特徴とする紫外光照射装置。
【請求項２】
上記昇降装置が、テーブル板、該テーブル板を昇降可能に支持するリンク機構、および該リンク機構に一方の端部が接続されている、該リンク機構を介してテーブル板の昇降を駆動するねじ軸からなり、そして上記の昇降操作手段が昇降装置のねじ軸の他方の端部に接続されている請求項１に記載の紫外光照射装置。
【請求項３】
上記筐体が、上面に開口部を有する容器状本体と該開口部に開閉可能に備えられた蓋体とからなり、上記紫外光発生手段が、両端部の間で奇数回にて折り返された発光管を備える低圧水銀ランプであり、そして該水銀ランプを発光管の各端部にて支持する支持板が、該水銀ランプと共に着脱可能に上記容器状本体の内壁に固定されている請求項１もしくは２に記載の紫外光照射装置。
【請求項４】
上記支持板に固定されている、上記発光管の端部の下側部分を収容する溝を表面に備える金属製の平板と、該平板に一方の端部にて固定されている、上記発光管の端部の上側部分に沿って延びる金属製の湾曲板とを更に備え、そして該平板の支持板への固定位置の調節が可能とされている請求項３に記載の紫外光照射装置。
【請求項５】
上記湾曲板がリン青銅又はベリリウム銅からなる請求項４に記載の紫外光照射装置。
【請求項６】
上記蓋体が容器状本体から取り外し可能とされている請求項３乃至５のうちのいずれかの項に記載の紫外光照射装置。
【請求項７】
上記蓋体の紫外光発生手段の上方の位置に反射板が備えられている請求項３乃至６のうちのいずれかの項に記載の紫外光照射装置。
【発明の詳細な説明】
【技術分野】
【０００１】
本発明は、各種物品の表面の光洗浄あるいは改質に用いられる紫外光照射装置に関する。
【背景技術】
【０００２】
従来より、紫外光を照射して各種物品の表面の光洗浄が行なわれている。紫外光は、有機化合物の化学結合（例、Ｃ−Ｈ結合）を切断すると共に、空気中の酸素から酸化作用の強いオゾン（更には活性酸素）を生成させる。このため、紫外光の照射により、物品表面に汚染物として付着した有機化合物が酸化分解されて除去される。また、紫外光を樹脂材料製の物品に照射した場合には、上記の洗浄と同時に、物品表面の樹脂材料の化学結合（例、Ｃ−Ｈ結合）が切断され、この表面にオゾン（あるいは活性酸素）の酸化作用により官能基（例、カルボニル基、カルボキシル基）が生成される。このため、紫外光の照射により、樹脂材料製の物品の表面が改質（例、親水化）される。これにより、例えば、樹脂材料製の物品とその表面に形成される膜（例、メッキ膜、塗膜）との密着性が良好になる。
【０００３】
特許文献１には、筐体、筐体の内部上方に配設された紫外光発生手段、および紫外光発生手段の下方に配置されている、紫外光の照射対象物を支持する試料台を備える紫外光照射装置が開示されている。
【０００４】
非特許文献１には、紫外光照射装置の筐体に引き出しを設けること、引き出しの底板の上に、紫外光照射対象物を支持する昇降装置（手動式ラボジャッキ）を配置することが記載されている。昇降装置は、引き出しを閉じた状態にて紫外光発生手段の下方に配置される。
【先行技術文献】
【特許文献】
【０００５】
【特許文献１】特開２０００−１７８７７７号公報
【非特許文献】
【０００６】
【非特許文献１】“卓上型表面処理装置”、[online]、［平成２２年７月２１日検索］、インターネット<URL:http://www.senlights.co.jp/seihin/PL16/pl17.html>
【発明の概要】
【発明が解決しようとする課題】
【０００７】
本発明の課題は、照射対象物に正確な強度にて紫外光を照射することが容易な紫外光照射装置を提供することにある。
【課題を解決するための手段】
【０００８】
本発明は、前板と前板の背面下部に接続された底板とを有する引き出しを備える筐体、筐体の内部上方に配設された紫外光発生手段、および上記引き出しの底板上に設置され、引き出しを閉じた状態にて紫外光発生手段の下方に配置される、紫外光の照射対象物を支持する昇降装置を備える紫外光照射装置であって、上記の引き出しの前板を貫通して上記昇降装置に接続している昇降操作手段を更に備えることを特徴とする紫外光照射装置にある。
【０００９】
本発明の紫外光照射装置の好ましい態様は、次の通りである。
（１）上記昇降装置が、テーブル板、テーブル板を昇降可能に支持するリンク機構、およびリンク機構に一方の端部が接続されている、リンク機構を介してテーブル板の昇降を駆動するねじ軸からなり、そして上記の昇降操作手段が昇降装置のねじ軸の他方の端部に接続されている。
（２）上記筐体が、上面に開口部を有する容器状本体と前記の開口部に開閉可能に備えられた蓋体とからなり、上記紫外光発生手段が、両端部の間で奇数回にて折り返された発光管を備える低圧水銀ランプであり、そして水銀ランプを発光管の各端部にて支持する支持板が、水銀ランプと共に着脱可能に上記容器状本体の内壁に固定されている。
（３）上記支持板に固定されている、上記発光管の端部の下側部分を収容する溝を表面に備える金属製の平板と、この平板に一方の端部にて固定されている、上記発光管の端部の上側部分に沿って延びる金属製の湾曲板とを更に備え、そして上記平板の支持板への固定位置の調節が可能とされている。
（４）上記湾曲板がリン青銅又はベリリウム銅からなる。
（５）上記蓋体が容器状本体から取り外し可能とされている。
（６）上記蓋体の紫外光発生手段の上方の位置に反射板が備えられている。
【発明の効果】
【００１０】
本発明の紫外光照射装置は、筐体の引き出しを閉じた状態で、紫外光照射対象物を支持する昇降装置を昇降操作手段を用いて昇降させることができる。従って、紫外光照射対象物に紫外光を照射する前に、引き出しを閉じた状態で昇降装置を昇降させながら、昇降装置の高さと昇降装置の上面の紫外光の強度（紫外光照射対象物の上面の紫外光の強度に相関する）との関係を、引き出しを開閉したり、紫外光発生手段の作動を停止したりすることなく、極めて安定した条件にて正確に且つ短時間で測定することができる。このため、本発明の紫外光照射装置は、紫外光照射対象物に紫外光を正確な強度にて照射することが容易である。
【図面の簡単な説明】
【００１１】
【図１】本発明の紫外光照射装置の構成例を示す正面図である。
【図２】図１の紫外光照射装置１０の平面図である。ただし、図２の紫外光照射装置１０は、図１に示す蓋体１２ｂが筐体１２から取り外され、そして筐体１２の引き出し１１が開けられた状態で記入されている。また、図１に示す蓋体１２ｂの固定具１４は記入していない。
【図３】図１の紫外光照射装置１０の一部切り欠き左側面図である。ただし、図３の紫外光照射装置１０は、筐体１２の引き出し１１が開けられた状態で記入されている。また、図１に示す蓋体１２ｂの固定具１４は記入していない。
【図４】図３に示す昇降装置３１の近傍の部位の拡大図である。ただし、図３に示すスケール１５は記入していない。
【図５】図４に記入した切断線Ｖ−Ｖ線に沿って切断した昇降装置３１の近傍の部位の断面図である。
【図６】図４の昇降装置３１のテーブル板３２を下降させた状態にて示す図である。
【図７】図２の紫外光照射装置１０の図にて上側に配置された平板２６の近傍の部位を、切断線VII−VII線に沿って切断した拡大断面図である。
【発明を実施するための形態】
【００１２】
本発明の紫外光照射装置を、添付の図面を用いて説明する。
【００１３】
図１は、本発明の紫外光照射装置の構成例を示す正面図であり、図２は、図１の紫外光照射装置１０の平面図であり、そして図３は、図１の紫外光照射装置の一部切り欠き左側面図である。なお、図２及び図３のそれぞれには、引き出し１１を閉じることにより筐体１２の内部に配置された昇降装置３１を二点鎖線で示した。また、図３には、筐体１２の内部に配設された紫外光発生手段２１を二点鎖線で示した。
【００１４】
図１〜図３に示す紫外光照射装置１０は、前板１１ａと前板１１ａの背面下部に接続された底板１１ｂとを有する引き出し１１を備える筐体１２、筐体１２の内部上方に配設された紫外光発生手段２１、および引き出し１１の底板１１ｂの上に設置され、引き出し１１を閉じた状態にて紫外光発生手段２１の下方に配置される、紫外光の照射対象物を支持する昇降装置３１を備えている。そして、紫外光照射装置１０は、上記の引き出し１１の前板１１ａを貫通して昇降装置３１に接続している昇降操作手段５１を更に備えていることに主な特徴がある。
【００１５】
紫外光照射装置１０を用いて紫外光照射対象物の表面を安定した条件にて洗浄あるいは改質するためには、紫外光発生手段２１にて発生する紫外光を紫外光照射対象物の表面に正確な強度にて照射する必要がある。従って、紫外光発生手段２１と紫外光照射対象物が支持される昇降装置３１の上面との距離を精密に設定する必要がある。このため、紫外光照射対象物に紫外光を照射する前に、予め昇降装置３１の高さと昇降装置３１の上面の紫外光の強度（紫外光照射対象物の上面の紫外光の強度に相関する）との関係を測定し、この測定の結果に基づいて、昇降装置３１の高さが、紫外光照射対象物に所定の強度（例えば、３０〜９０ｍＷ／ｃｍ2の範囲内の強度）の紫外光が照射される高さに設定される。
【００１６】
ところが、上記昇降操作手段を備えていない紫外光照射装置の場合には、先ずは紫外光発生手段の作動を停止させた状態にて筐体の引き出しを開け、次いで昇降装置を所定の高さに設定してから引き出しを閉じ、そして紫外光発生手段を作動させてから紫外光の強度が安定するまで、概ね５〜１０分の時間を経過してから昇降装置の上面の紫外光の強度の測定を開始することが必要である。従って、昇降装置の高さを変える度に、紫外光の強度が安定するのを待ってから昇降装置の上面の紫外光の強度の測定を開始する必要があるため、測定に長い時間を必要とする。
【００１７】
そこで、本発明者は、紫外光から身体を保護する眼鏡及び手袋を着用した上で、紫外光発生手段の作動を停止することなく引き出しを開け、次いで昇降装置を所定の高さに設定してから引き出しを閉じ、速やかに昇降装置の上面の紫外光の強度を測定した。しかしながら、昇降装置の上面の紫外光の強度の変動は十分に低減しなかった。そして、本発明者が更に検討を進めると、昇降装置の上面の紫外光の強度の変動は、紫外光発生手段の作動を開始したのちの紫外光の強度の変動によっても生じるが、引き出しを開閉した際に筐体内部のオゾン濃度が急減に減少するため、引き出しを閉じてから筐体内部のオゾン濃度が安定するまでは、比較的に多くの量の紫外光がオゾンの生成に利用されること（昇降装置の上面に到達しないこと）によっても生じることが判明した。
【００１８】
また、紫外光発生手段として低圧水銀ランプを用いると、引き出しを開閉する際に筐体の内部に流入した外気との接触により低圧水銀ランプが備える発光管の端部の温度が変動し、これにより発光管に収容されているガスの蒸気圧が変動するため、昇降装置の上面に照射される紫外光の強度が変動し易いことも判明した。
【００１９】
上記のような本発明者が新たに見出した知見に基づき、本発明の紫外光照射装置１０は、昇降操作手段５１が採用されているため、筐体１２の引き出し１１を閉じた状態で、紫外光照射対象物を支持する昇降装置３１を昇降操作手段５１を用いて昇降させることができる。従って、紫外光照射対象物に紫外光を照射する前に、引き出し１１を閉じた状態で昇降装置３１を昇降させながら、昇降装置３１の高さと昇降装置３１の上面の紫外光の強度（紫外光照射対象物の上面の紫外光の強度に相関する）との関係を、引き出し１１を開閉したり、紫外光発生手段２１の作動を停止したりすることなく、極めて安定した条件にて正確に且つ短時間で測定することができる。このため、本発明の紫外光照射装置１０は、紫外光照射対象物に紫外光を正確な強度にて照射することが容易である。
【００２０】
また、紫外光発生手段２１として低圧水銀ランプを用いた場合であっても、上記測定の際に筐体１２の引き出し１１を開閉する必要はなく、発光管２２の端部２２ａの温度が極めて安定するため、昇降装置３１の上面に照射される紫外光の強度の変動を抑制することができる。
【００２１】
図４は、図３に示す昇降装置３１の近傍の部位の拡大図であり、そして図５は、図４に記入した切断線Ｖ−Ｖ線に沿って切断した昇降装置３１の近傍の部位の断面図である。
【００２２】
図４及び図５に示すように、昇降装置３１としては、テーブル板３２、テーブル板３２を昇降可能に支持するリンク機構３３、およびリンク機構３３に一方の端部が接続されている、リンク機構３３を介してテーブル板３２の昇降を駆動するねじ軸３４を備える公知のねじジャッキが用いられている。
【００２３】
リンク機構３３は、図５においてテーブル板３２の左側を支持する四本のロッド３５ａ、３５ｂ、３５ｃ、３５ｄの組体３５とテーブル板３２の右側を支持する四本のロッド３６ａ、３６ｂ、３６ｃ、３６ｄの組体３６とを備えている。ロッドの組体３５、３６の構成は互いに同一である。
【００２４】
ロッドの組体３５は、上端部と下端部との間にて軸棒３７ａを介して互いに回転可能に接続されたロッド３５ａ、３５ｂと、同様に上端部と下端部との間にて軸棒３７ｂを介して互いに回転可能に接続されたロッド３５ｃ、３５ｄとから構成されている。
【００２５】
ロッド３５ａの下端部とロッド３５ｃの上端部とは、軸棒３８ｂを介して互いに接続されている。これによりロッド３５ａ、３５ｃは、それぞれ軸棒３８ｂを中心として回転可能とされている。同様にロッド３５ｂの下端部とロッド３５ｄの上端部とは、軸棒３８ａを介して互いに接続されている。これによりロッド３５ｂ、３５ｄは、それぞれ軸棒３８ａを中心として回転可能とされている。
【００２６】
また、ロッド３５ａの上端部とロッド３６ａの上端部とは、軸棒３９ａを介して互いに接続されている。軸棒３９ａの両端部はそれぞれ、テーブル板３２の下面に備えられた上側支持部材４１の長孔４１ａに挿入された状態にて支持されている。これにより、ロッド３５ａ、３６ａは、それぞれ上端部を中心とする回転が可能とされ、かつ上端部が長孔４１ａに沿ってスライド可能とされている。
【００２７】
同様に、ロッド３５ｃの下端部とロッド３６ｃの下端部とは、軸棒３９ｂを介して互いに接続されている。軸棒３９ｂの両端部はそれぞれ、引き出し１１の底板１１ｂに設置された下側支持部材４２の長孔４２ａに挿入された状態にて支持されている。これにより、ロッド３５ｃ、３６ｃは、それぞれ下端部を中心とする回転が可能とされ、かつ下端部が長孔４２ａに沿ってスライド可能とされている。
【００２８】
そして、ロッド３５ｂの上端部とロッド３６ｂの上端部とは、軸棒３９ｃを介して互いに接続されている。軸棒３９ｃの両端はそれぞれ、上側支持部材４１の円孔４１ｂに挿入された状態にて支持されている。これにより、ロッド３５ｂ、３６ｂは、それぞれ上端部を中心とする回転が可能とされている。
【００２９】
同様に、ロッド３５ｄの下端部とロッド３６ｄの下端部とは、軸棒３９ｄを介して互いに接続されている。軸棒３９ｄの両端はそれぞれ、下側支持部材４２の円孔４２ｂに挿入された状態にて支持されている。これにより、ロッド３５ｄ、３６ｄは、それぞれ下端部を中心とする回転が可能とされている。
【００３０】
そして、前記のねじ軸３４の一方の端部は、外周面に右ねじ３４ａが形成されていて、軸棒３８ａの長さ方向の中央部に形成されたねじ孔（図示していない）に嵌め合わされている。
【００３１】
従って、昇降装置３１のねじ軸３４を、例えば、図４の右側から見て時計回りに回転させると、軸棒３８ａに前方側（図４にて右側）に向かう駆動力が付与される。その結果、軸棒３８ａと共に、軸棒３７ａ、３７ｂ、そして軸棒３９ａ、３９ｂが前方側に移動し、これと同時に軸棒３７ａ、３７ｂ、軸棒３８ａ、３８ｂ、そして軸棒３９ａ、３９ｃが上昇する。従って、軸棒３９ａ、３９ｃに上側支持部材４１を介して支持されているテーブル板３２が上昇する。これとは逆に、昇降装置３１のねじ軸３４を、例えば、図４の右側から見て反時計回りに回転させると、テーブル板３２が下降する。
【００３２】
なお、昇降装置３１のねじ軸３４の他方の端部は、外周面に左ねじ３４ｂが形成されていて、軸棒３８ｂの長さ方向の中央部に形成されたねじ孔４０に嵌め合わされている。これにより、ねじ軸３４が、軸棒３８ｂのねじ孔４０の内部に緊密に嵌め合わされた状態で支持される。このため、テーブル板３２を高精度にて昇降させることができる。
【００３３】
昇降装置としては、紫外光照射装置の構成が簡単になることから、公知のねじジャッキ、油圧ジャッキ、あるいはエアジャッキを用いることが好ましく、リンク機構とリンク機構を駆動するねじ軸とを備えるねじジャッキを用いることが特に好ましい。
【００３４】
昇降装置に用いるリンク機構は、テーブル板を昇降させることができれば、その構成に特に制限はない。例えば、図４に示すテーブル板３２を大きく昇降させる必要がなければ、ロッド３５ｃ、３５ｄを用いることなく、下側支持部材４２の長孔４２ａにてロッド３５ｂの下端部に接続された軸棒３８ａを支持し、そして円孔４２ｂにてロッド３５ａの下端部に接続された軸棒３８ｂを支持することができる。また、例えば、図５に示すテーブル板３２の左右の中央を、一組のロッドの組体で支持して、テーブル板３２の左右のそれぞれを、公知のリニアガイドを用いて昇降可能に支持することもできる。この場合、ねじ軸３４は、ロッドの組体の何れかのロッドに接続すればよい。ねじ軸３４は、ロッドにねじ孔を形成し、このねじ孔に挿入して直接的にロッドに接続することもできるし、ねじ軸３４の周囲にナットを嵌め合わせ、このナットを介して間接的にロッドに接続することもできる。
【００３５】
図４に示すように、昇降装置３１のねじ軸３４の他方の端部には、昇降操作手段５１が接続されている。昇降操作手段５１は、ねじ軸３４に接続された第一の自在継ぎ手（ユニバーサルジョイント）５２ａと、第一の自在継ぎ手５２ａに連結具５３を介して接続された第二の自在継ぎ手５２ｂと、第二の自在継ぎ手５２ｂに引き出し１１の前板１１ａを貫通する軸体５４を介して接続された摘み５５とから構成されている。
【００３６】
昇降操作手段５１が接続されるねじ軸３４は、軸棒３８ａ、３８ｂと共に昇降（上下方向に移動）する。このため、昇降操作手段５１は、自在継ぎ手５２ａ、５２ｂを利用して、ねじ軸３４が昇降した場合であっても、ねじ軸３４を回転可能な構成とされている。
【００３７】
昇降操作手段５１の摘み５５を、例えば、図４の右側から見て時計回りに回転させることにより、テーブル板３２を上昇させることができる。これとは逆に、昇降操作手段５１の摘み５５を、図４の右側から見て反時計回りに回転させることにより、図６に示すようにテーブル板３２を下降させることができる。
【００３８】
昇降操作手段５１は、昇降装置３１を手動で昇降させるため、その構成が極めて簡単である。このため、昇降操作手段５１を用いると、紫外光照射装置の構成が極めて簡単になり、また装置の小型化も容易になる。
【００３９】
なお、昇降操作手段５１の連結具５３は、角柱状の補助軸５３ａと補助軸５３ａの周囲に嵌め合わされた筒体５３ｂとから構成されていて、これにより補助軸５３ａが長さ方向に微動可能とされている。また、軸体５４は、軸体５４を回転可能に且つ長さ方向に微動可能に支持する軸受（リニアロータリーベアリング）５６に支持されている。補助軸５３ａ及び／又は軸体５４を微動可能とすることにより、昇降装置３１を昇降させる際の摘み５５の回転が円滑になる。
【００４０】
昇降操作手段は、筐体の引き出しを閉じた状態にて昇降装置を昇降させることができれば、その構成に特に制限はない。例えば、図４に示す昇降装置３１のねじ軸が、仮にリンク機構３３の軸棒３９ｂに接続されているのであれば、ねじ軸が上下方向に移動（昇降）することはない。従って、昇降操作手段として、ねじ軸に接続されて引き出し１１の前板１１ａを貫通する棒材を用いることができる。この棒材は、ねじ軸を延長して形成することもできる。
【００４１】
図１に示すように、引き出し１１の前板１１ａに窓部１１ｃを形成し、そして図３に示すように引き出し１１ａの底板１１ｂにスケール１５を立設することもできる。この窓部１１ｃを通してスケール１５の目盛りを確認しながら昇降操作手段５１を操作することにより、昇降装置３１の高さを簡単に調節することができる。
【００４２】
本発明の紫外光照射装置の紫外光発生手段としては、例えば、エキシマランプ（例、Ｘｅエキシマランプ）、あるいは水銀ランプ（例、低圧水銀ランプ）を用いることができ、特に低圧水銀ランプを用いることが好ましい。
【００４３】
図１〜図３に示すように、紫外光照射装置１０の筐体１２が、上面に開口部を有する容器状本体１２ａと前記の開口部に開閉可能に備えられた蓋体１２ｂとからなり、紫外光発生手段２１が、両端部の間で奇数回（例えば、７回）にて折り返された発光管２２を備える低圧水銀ランプであり、そして水銀ランプを発光管の各端部２２ａにて支持する支持板２３が、水銀ランプと共に着脱可能に上記容器状本体１２ａの内壁に固定されていることが好ましい。
【００４４】
水銀ランプ（紫外光発生手段）２１は、発光管２２が両端部の間にて折り返されているため、昇降装置３１に支持された紫外光照射対象物の表面に均一な強度にて紫外光を照射することができ、また複数個の水銀ランプを並べて使用する場合と比較して、水銀ランプ２１に電気エネルギーを供給する電気回路（図示していない）の構成が簡単であるという利点を有している。
【００４５】
その一方で、水銀ランプ２１の発光管２２は、例えば、石英ガラス（特に好ましくは合成石英ガラス）から形成され、製造の際に熱処理により複雑な形状に折り曲げ加工する必要がある。このため、複数個の発光管を互いに同一の形状にて製造することが極めて難しい。従って、水銀ランプ２１を交換する際に、筐体１２の内部に支持固定されている水銀ランプ２１を取り外し、この水銀ランプ２１を支持固定していた位置と同じ位置に別の水銀ランプを支持固定しようとすると、水銀ランプの発光管が破損することがある。
【００４６】
上記のように水銀ランプ２１が支持板２３と共に着脱可能とされていると、水銀ランプ２１を支持板２３と共に容器状本体１２ａから取り外し、そして予め発光管の形状に応じた適切な位置にて支持板に支持させた別の水銀ランプを前記支持板と共に容器状本体１２ａに取り付けることにより、水銀ランプの破損の発生を効果的に抑制することができる。
【００４７】
なお、水銀ランプ２１及び支持板２３を容器状本体１２ａの内壁から取り外すためには、発光管２２の各端部２２ａに備えられた電極端子２２ｂを端子台２８から取り外し、そして容器状本体１２ａに備えられた支持部材２９と支持板２３とを固定している合計で４本のボルト３０ａを取り外せばよい。
【００４８】
容器状本体１２ａからの水銀ランプ２１及び支持板２３の取り出しが容易となるよう、蓋体１２ｂは容器状本体１２ａから取り外し可能とされていることが好ましい。
【００４９】
なお、図３に示すように、蓋体１２ｂの紫外光発生手段２１の上方の位置に反射板１３が備えられていると、水銀ランプ（紫外光発生手段）２１の紫外光を反射板１３で反射させ、紫外光照射対象物に効率良く照射することができる。また、反射板１３が備えられた蓋体１２ｂを開ければ、直ちに水銀ランプ２１の交換の作業を開始することができる。
【００５０】
蓋体１２ｂと反射板１３との間には、水銀ランプ２１により加温された気体（空気あるいはオゾンなど）の接触による蓋体１２ｂの温度上昇を抑制するため、遮熱用の壁体１６が備えられている。
【００５１】
図１〜図３に示すように、筐体１２の引き出し１１の前板１１ａ、容器状本体１２ａの側壁、そして蓋体１２ｂの前方側の壁体には、筐体１２の内部にオゾンの原料となる空気を導入する吸気口１７が備えられている。容器状本体１２ａの後端部には、筐体１２の内部の気体（空気あるいはオゾンなど）を排出するファン１８が備えられている。ファン１８により筐体１２の内部の加温された気体が排出されるため、筐体１２の内部が温度上昇を続けることなく一定の温度に保たれる。
【００５２】
図７は、図２の紫外光照射装置１０の図にて上側に配置された平板２６の近傍の部位を、切断線VII−VII線に沿って切断した拡大断面図である。
【００５３】
図７に示すように、本発明の紫外光照射装置は、支持板２３に固定されている、発光管（図２：２２）の端部２２ａの下側部分を収容する溝２６ａを表面に備える金属製の平板２６と、平板２６に一方の端部にて固定されている、発光管の端部２２ａの上側部分に沿って延びる金属製の湾曲板２７とを更に備え、そして平板２６の支持板２３への固定位置の調節が可能とされていることが好ましい。
【００５４】
上記の平板２６には、例えば、上記溝２６ａの幅方向（すなわち発光管の端部２２ａの幅方向）に延びる長孔２６ｂが形成されている。平板２６の長孔２６ｂにはボルト３０ｃが挿入されていて、ボルト３０ｃの先端部は支持板２３のねじ孔２３ａに嵌め合われている。ボルト３０ｃを締め付けることにより、平板２６を支持板２３に固定することができる。このボルト３０ｃを締め付ける前に、平板２６を長孔２６ｂの長さ方向に移動させることにより、平板２６の支持板２３への固定位置を調節することができる。
【００５５】
支持板２３に平板２６と湾曲板２７とが備えられていると、平板２６の支持板２３への固定位置、すなわち発光管の各端部２２ａの配置を（例えば、発光管の端部２２ａの幅方向に）容易に調節することができる。従って、水銀ランプを支持板２３に取り付ける際の発光管の破損の発生を抑制することができる。
【００５６】
また、水銀ランプの発光管の端部の温度が上昇すると、水銀ランプにより照射される紫外光の強度が低下する。図２及び図７に示すように、発光管２２の各端部２２ａは、金属製の平板２６の溝２６ａの内面と金属製の湾曲板２７の表面とのそれぞれに接触している。これにより、発光管２２の各端部２２ａの温度上昇が十分に抑制される。従って、紫外光発生手段２１により照射される紫外光の強度が安定する。
【００５７】
湾曲板２７は、発光管２２の破損を抑制するため十分な弾性を示すこと、そして発光管２２の端部２２ａの温度上昇を抑制するため優れた熱伝導性を示すことが好ましい。このため、湾曲板２７は、金属材料から形成され、特にリン青銅又はベリリウム銅から形成されていることが好ましい。
【００５８】
なお、発光管の端部２２ａの支持位置を、図７にて上下方向に調節する場合には、例えば、平板２６を別の厚みの平板と交換するか、あるいは平板２６と支持板２３との間に板状のスペーサを挿入すればよい。
【符号の説明】
【００５９】
１０  紫外光照射装置
１１  引き出し
１１ａ  前板
１１ｂ  底板
１１ｃ  窓部
１２  筐体
１２ａ  容器状本体
１２ｂ  蓋体
１３  反射板
１４  固定具
１５  スケール
１６  遮熱用の壁体
１７  吸気口
１８  ファン
２１  紫外光発生手段（低圧水銀ランプ）
２２  発光管
２２ａ  発光管の端部
２２ｂ  電極端子
２３  支持板
２３ａ  ねじ孔
２６  平板
２６ａ  溝
２６ｂ  長孔
２７  湾曲板
２８  端子台
２９  支持部材
３０ａ、３０ｂ、３０ｃ  ボルト
３１  昇降装置
３２  テーブル板
３３  リンク機構
３４  ねじ軸
３４ａ  右ねじ
３４ｂ  左ねじ
３５  ロッドの組体
３５ａ、３５ｂ、３５ｃ、３５ｄ  ロッド
３６  ロッドの組体
３６ａ、３６ｂ、３６ｃ、３６ｄ  ロッド
３７ａ、３７ｂ  軸棒
３８ａ、３８ｂ  軸棒
３９ａ、３９ｂ、３９ｃ、３９ｄ  軸棒
４０  ねじ孔
４１  上側支持部材
４１ａ  長孔
４１ｂ  円孔
４２  下側支持部材
４２ａ  長孔
４２ｂ  円孔
５１  昇降操作手段
５２ａ、５２ｂ  自在継ぎ手
５３  連結具
５３ａ  補助軸
５３ｂ  筒体
５４  軸体
５５  摘み
５６  軸受
【図１】
2012148248.tif 000003
【図２】
2012148248.tif 000004
【図３】
2012148248.tif 000005
【図４】
2012148248.tif 000006
【図５】
2012148248.tif 000007
【図６】
2012148248.tif 000008
【図７】
2012148248.tif 000009